(57)【要約】      （修正有）【課題】空気調和機において、吐出境界面では、湾曲部に沿って流動する低温の吐出空気が高温多湿な周囲空気と混合してしまい、結露現象が発生する。吐出口の構造を改善することによって吐出口における結露現象を防止する。【解決手段】空気が噴き出される吐出口と、該吐出口側に空気をガイドするために吐出流路を形成するガイド部とを備える空気調和機であって、ガイド部は、吐出流路を拡張するために階段状に形成された構成とした。【選択図】図３
2008215801.tif 000002
【特許請求の範囲】
【請求項１】
空気が噴き出される吐出口と、前記吐出口側に空気をガイドするために吐出流路を形成するガイド部と、を備える空気調和機であって、
前記ガイド部は、吐出流路を拡張するために階段状に形成されたことを特徴とする空気調和機。
【請求項２】
前記ガイド部は、吐出流路を形成する第１のガイド部と、吐出流路が拡張されるように、前記第１のガイド部と段差を持つようにして該第１のガイド部から連設される第２のガイド部と、を備えることを特徴とする、請求項１に記載の空気調和機。
【請求項３】
前記段差は、前記第１のガイド部と前記第２のガイド部との間に形成されることを特徴とする、請求項２に記載の空気調和機。
【請求項４】
前記吐出流路は中心軸を有し、前記第２のガイド部は、前記吐出流路の中心軸に対して第１の所定角度だけ傾いていることを特徴とする、請求項２に記載の空気調和機。
【請求項５】
前記吐出流路は中心軸を有し、前記ガイド部は、前記第２のガイド部から連設され、前記吐出流路の中心軸に対して第２の所定角度だけ傾いた傾斜部を有することを特徴とする、請求項２に記載の空気調和機。
【請求項６】
吐出流路を形成して空気をガイドするガイド部と、該ガイド部にガイドされた空気を噴き出す吐出口と、前記吐出口と隣接して室内空気と接する吐出境界面と、を備える空気調和機であって、
前記ガイド部は、吐出経路が拡張されるように階段状に形成され、前記吐出境界面における結露を防止することを特徴とする、空気調和機。
【請求項７】
前記ガイド部は、吐出流路を形成する第１のガイド部と、吐出流路が拡張されるように、前記第１のガイド部と段差を持つようにして該第１のガイド部から連設される第２のガイド部と、を備えることを特徴とする、請求項６に記載の空気調和機。
【請求項８】
前記吐出流路は中心軸を有し、
前記第２のガイド部は、前記吐出流路の中心軸に対して第１の所定角度だけ傾いており、前記ガイド部は、前記吐出流路の中心軸に対して第２の所定角度だけ傾いた傾斜部を有することを特徴とする、請求項７に記載の空気調和機。
【請求項９】
前記第２のガイド部の傾斜角度は、前記傾斜部の角度よりも小さいことを特徴とする、請求項８に記載の空気調和機。
【請求項１０】
段付きガイド部を有する吐出口と、
前記吐出口に隣接する吐出境界面と、
前記吐出口を通して空気を噴き出すファンと、
を備えてなり、
前記段付きガイド部は、前記吐出境界面に対して傾斜していることを特徴をする、空気調和機。
【請求項１１】
前記段付きガイド部は、第１のガイド部と、第２のガイド部と、傾斜部とを有し、前記第１のガイド部は、前記第２のガイド部と段差を有し、前記第２のガイド部は、前記傾斜部と段差を有し、該傾斜部は、前記吐出境界面に対して傾斜していることを特徴とする、請求項１０に記載の空気調和機。
【請求項１２】
前記吐出口は中心軸を有し、前記第２のガイド部は、前記中心軸に対して第１の所定角度だけ傾いており、前記傾斜部は、前記中心軸に対して第２の所定角度だけ傾いていることを特徴とする、請求項１１に記載の空気調和機。
【発明の詳細な説明】
【技術分野】
【０００１】
本発明は、空気調和機に係り、より詳細には、吐出口における結露現象を防止するために吐出口の構造を改善した空気調和機に関する。
【背景技術】
【０００２】
一般に、室内を空調する空気調和機は、本体内に熱交換器と送風手段を組み込んでおり、このように構成される本体の前面上側には吐出口を、前面下側には吸込口を有し、空調される室内空気を対流循環させながら空気調和を行う。
【０００３】
図１は、従来の空気調和機の吐出口を示す断面図である。
【０００４】
図１を参照すると、従来の空気調和機は、空調された空気（以下、空調空気と略す。）が噴き出される吐出口１と、該吐出口１の内側に配置され、吐出口１へ空調空気を送り出す送風ファン５と、該送風ファン５によって噴き出される気流の方向を調節するブレード６と、を備える。
【０００５】
従来の結露防止のための空気調和機（例えば、特許文献１）は、吐出口１側に空気をガイドするために吐出経路を形成するガイド部２と、該吐出口１と隣接し、室内空気と対面する吐出境界面３とを有し、これらガイド部２と吐出境界面３との間には一定の曲げ率を持つ円弧形状の湾曲部４がさらに形成されている。
【０００６】
ここで、送風ファン５によって送り出される低温の吐出空気は、ガイド部２を経由して湾曲部４に沿って吐出境界面３に流動する。湾曲部４に低温の吐出空気が継続して供給される場合に、該湾曲部４では、低温の吐出空気と高温多湿な周囲空気が混合されず、結露現象は発生しない。
【特許文献１】大韓民国登録実用新案第２０−０２５８６４０号
【発明の開示】
【発明が解決しようとする課題】
【０００７】
しかしながら、吐出境界面３では、湾曲部４に沿って流動する低温の吐出空気が高温多湿な周囲空気と混合してしまい、結露現象が発生する。すなわち、吐出境界面３は室内空気と接する部分で、この吐出境界面３には結露現象が発生してしまう。このため、使用者にとっては、吐出境界面３における結露を除去しなければない不便さがあり、使用満足度が低いという問題点があった。
【０００８】
本発明は上記の問題点を解決するためのもので、その目的は、吐出境界面に送り出される冷気を減少させることによって吐出境界面における結露現象を防止することができる空気調和機を提供することにある。
【課題を解決するための手段】
【０００９】
上記の目的を達成するための本発明に係る空気調和機は、空気が噴き出される吐出口と、前記吐出口側に空気をガイドするために吐出流路を形成するガイド部と、を備える空気調和機であって、前記ガイド部は、吐出流路を拡張するために階段状に形成された構成とした。
【００１０】
前記ガイド部は、吐出流路を形成する第１のガイド部と、吐出流路が拡張されるように、前記第１のガイド部と段差を持つようにして該第１のガイド部から連設される第２のガイド部と、を備える。
【００１１】
前記段差は、前記第１のガイド部と前記第２のガイド部との間に形成される。
【００１２】
前記吐出流路は中心軸を有し、前記第２のガイド部は、前記吐出流路の中心軸に対して第１の所定角度（θ１）だけ傾いている。
【００１３】
前記吐出流路は中心軸を有し、前記ガイド部は、前記第２のガイド部から連設され、前記吐出流路の中心軸に対して第２の所定角度（θ２）だけ傾いた傾斜部を有する。
【００１４】
本発明に係る空気調和機は、吐出流路を形成して空気をガイドするガイド部と、該ガイド部にガイドされた空気を噴き出す吐出口と、前記吐出口と隣接して室内空気と接する吐出境界面と、を備える空気調和機であって、前記ガイド部は、吐出経路が拡張されるように階段状に形成され、前記吐出境界面における結露を防止する構成とした。
【００１５】
前記ガイド部は、吐出流路を形成する第１のガイド部と、吐出流路が拡張されるように、前記第１のガイド部と段差を持つようにして該第１のガイド部から連設される第２のガイド部と、を備える。
【００１６】
前記第２のガイド部は、前記吐出流路の中心軸に対して所定角度（θ１）だけ傾いており、前記ガイド部は、前記吐出流路の中心軸に対して所定角度（θ２）だけ傾いた傾斜部を有する。
【００１７】
前記第２のガイド部の傾斜角度（θ１）は、前記傾斜部の角度（θ２）よりも小さい。
【００１８】
本発明に係る空気調和機は、段付きガイドを有する吐出口と、前記吐出口に隣接する吐出境界面と、前記吐出口を通して空気を噴き出すファンと、を備えてなり、前記段付きガイドは、前記吐出し境界面に対して傾斜している構成とした。
【発明の効果】
【００１９】
本発明によれば、吐出口における結露現象を防止できるため、この露を使用者が別途に除去する必要がなく、よって、製品満足度を増大させることが可能になる。
【００２０】
また、吐出口における結露現象に起因する各種ホコリによる汚染を未然に防止することが可能になる。
【発明を実施するための最良の形態】
【００２１】
以下、本発明に係る空気調和機の好適な実施例について、添付の図面を参照しつつ詳細に説明する。
【００２２】
図２は、本発明の一実施例による空気調和機を示す斜視図である。
【００２３】
図２を参照すると、本実施例の空気調和機は、本体５０の上部に形成され、該本体５０の内部を通過しながら冷却または加熱された空調空気を室内に噴きこむ吐出口１０と、該吐出口１０に設置され、空調空気の向きを調節する風向調節手段（図示せず）と、該吐出口１０側へ空気を流動させるための吐出流路を形成するガイド部２０と、を備えてなり、該ガイド部２０は、吐出口１０側に向かって吐出経路を拡張するように階段状に形成されている。
【００２４】
吐出口１０は、本体５０の前面上部に設置された前面パネル５１の上段に形成される。吐出口１０は、空調空気が室内側に流動するように吐出流路を形成するガイド部２０の端部に設けられる。なお、吐出口１０に隣接して吐出境界面３０（図３参照）が形成される。
【００２５】
風向調節手段（図示せず）は、吐出口１０側に設置され、空調空気の上下の流れ方向を調節する複数枚の水平ブレード５６と、水平ブレード５６の後方に設置され、空調空気の左右の流れ方向を調節する複数枚の垂直ブレード（図示せず）と、これら水平ブレード５６と垂直ブレード（図示せず）をそれぞれ動作させる駆動モーター（図示せず）と、で構成される。
【００２６】
図３は、図１に示す空気調和機の吐出口側を示す部分断面図である。
【００２７】
図３を参照すると、ガイド部２０は、吐出口１０の中心軸２４と平行に設けられ、空調空気と接しながら該空調空気を室内側にガイドする第１のガイド部２１と、吐出流路を拡大するために断面階段状に第１のガイド部２１に連設される第２のガイド部２２とを備える。第２のガイド部２２は、吐出口１０の中心軸２４に対して一定の角度θ１で傾いて形成され、その結果、第１のガイド部２１に対しても傾斜している。なお、ガイド部２０は、第２のガイド部２２から一定の角度θ２で傾いて連設された傾斜部２３を備える。
【００２８】
以下、本発明による空気調和機の動作について説明する。
【００２９】
上記のような構成を持つ本発明による空気調和機は、図２を参照すると、使用者が前面パネル５１に装着されているコントロールパネル５２の電源ボタンを押下して空気調和機を起動する。これにより、送風ファン５３が回転し、該送風ファン５３の回転力によって室内の空気が、例えば本体５０の一側に形成された吸込口５４を介して本体５０の内部に吸い込まれる。吸込口５４を介して吸い込まれた空気は、熱交換器５５を通過しつつ該熱交換器５５に流れる冷媒と熱交換して冷却される。該熱交換器５５によって空調された空気は、送風ファン５３側に流れた後、本体５０の上部に形成された吐出口１０から噴き出される。
【００３０】
図４は、本発明による空気調和機の吐出口側における吐出空気と室内空気の流動を示す断面図で、図３のＡ部分の拡大図である。
【００３１】
図４を参照すると、第１のガイド部２１は、吐出口１０の中心軸２４と平行に吐出流路を形成しており、したがって、空調空気は、第１のガイド部２１と接しながら室内側に流動する。吐出流路を拡張するために第１のガイド部２１と段差を持つようにして第２のガイド部２２が形成されており、よって、空調空気が第１のガイド部２１から第２のガイド部２２に流れる際に、段差部分では渦流が形成される。
【００３２】
なお、第２のガイド部２２は、吐出流路を拡張するために第１のガイド部２１と段差を有すると共に吐出口１０の中心軸から一定の角度θ１だけ傾いて連設される。なお、傾斜部２３は、吐出口１０の中心軸２４から一定の角度θ２だけ傾いて第２のガイド部２２から連設される。
【００３３】
したがって、第１のガイド部２１と接触しつつ噴き出される単位時間当たりの空気量と傾斜部２３に接触しつつ噴き出される単位時間当たりの空気量とを比較すると、傾斜部２３に接触しつつ噴き出される単位時間当たりの空気量が格段に減少するため、噴き出される空気によって傾斜部２３は殆ど冷却されない。なお、傾斜部２３の傾斜角度θ２が、第２のガイド部２２の傾斜角度θ１よりも大きいと、噴き出される空気による傾斜部２３の冷却はより減少する。
【００３４】
一方、空調空気が噴き出される速度は、室内の空気が自由運動する速度よりも大きいため、噴き出される空気側の圧力が室内空気の圧力よりも低くなり、室内空気は、噴き出される空気の吐出流路に向かって流動する。その結果、室内空気は、傾斜部２３と吐出流路に沿って移動する吐出空気との間に流動しつつ第２のガイド部２２側に進入する。
【００３５】
要するに、空調された冷気は、傾斜部２３と接する単位時間当たりの量が格段に減少し、吐出境界面３０に流動する冷気の量も少ないため、吐出境界面３０では空調空気と室内空気との混合が発生せず、吐出境界面３０における結露現象が防止される。
【００３６】
ただし、第１のガイド部２１と第２のガイド部２２との段差形成に起因する空調空気の渦流現象と、第２のガイド部２２側に進入する室内空気によって空調空気と室内空気とが混合されて結露が発生するが、これはごく微小量で、滴下されたり、噴き出される空気によって飛散されたりすることが全くない。
【図面の簡単な説明】
【００３７】
【図１】従来の空気調和機の吐出口を示す断面図である。
【図２】本発明による空気調和機を示す斜視図である。
【図３】本発明による空気調和機の吐出口側を示す部分断面図である。
【図４】図３のＡ部分を示す拡大図である。
【符号の説明】
【００３８】
１０    吐出口
２０    ガイド部
２１    第１のガイド部
２２    第２のガイド部
２３    傾斜部
２４    中心軸
３０    吐出境界面
θ１    第２のガイド部の傾斜角度
θ２    傾斜部の傾斜角度
【図１】
2008215801.tif 000003
【図２】
2008215801.tif 000004
【図３】
2008215801.tif 000005
【図４】
2008215801.tif 000006